(57)【要約】【課題】  運転情報を効率的にユーザに提示することができる車載用音響装置、車載用音響装置の制御方法、車載用音響装置の制御プログラム、及び記録媒体を提供する。【解決手段】  車両運転の情報に関する音声データＡ、及びこの音声データＡ以外の音データＢ、Ｃに基いて音出力を可能とする車載用音響装置において、車両の進行方向を含む水平面内の第１方向の加速度、及び水平面内であって、第１方向の加速度に直交する第２方向の加速度を検出する２軸の加速度センサ装置３０と、検出された第１方向の加速度及び第２方向の加速度に応じて、音声データ及び前記音データに基く音出力の形態を変更するように、車載情報機器１６や音声合成装置１８、音情報混合制御装置２２を制御する制御装置２８とを備えた。【選択図】      図１
2005142936.tif 000002
【特許請求の範囲】
【請求項１】
車両運転の情報に関する音声データ、及びこの音声データ以外の音データに基いて音出力を可能とする車載用音響装置において、
車両の進行方向を含む水平面内の第１方向の加速度、及び前記水平面内であって、前記第１方向の加速度に直交する第２方向の加速度を検出する加速度検出手段と、
前記加速度検出手段により検出された前記第１方向の加速度及び前記第２方向の加速度に応じて、前記音声データ及び前記音データに基く音出力の形態を変更する制御手段とを備えたことを特徴とする車載用音響装置。
【請求項２】
請求項１に記載の車載用音響装置において、
前記第１方向の加速度と前記第２方向の加速度との合成加速度の向きに対応付けて、前記合成加速度の大きさに対する１又は複数のしきい値が予め設定され、
前記制御手段は、前記合成加速度に応じて、前記しきい値で区分けされた加速度範囲毎に、前記音声データ及び前記音データに基く音出力の形態を変更することを特徴とする車載用音響装置。
【請求項３】
請求項１又は請求項２に記載の車載用音響装置において、
前記制御手段は、前記形態の変更として、前記音データに基く音出力を許可し、或いは、禁止することを特徴とする車載用音響装置。
【請求項４】
請求項１又は請求項２に記載の車載用音響装置において、
前記制御手段は、前記形態の変更として、音出力速度を変更することを特徴とする車載用音響装置。
【請求項５】
請求項２に記載の車載用音響装置において、
前記制御手段は、前記形態の変更として、前記合成加速度の大きさが、当該合成加速度の向きに対応する前記しきい値を上回った場合、前記音声データに基く音出力の音出力速度を遅くなるように変更することを特徴とする車載用音響装置。
【請求項６】
請求項１又は請求項２に記載の車載用音響装置において、
前記制御手段は、前記形態の変更として、音出力の音量を変更することを特徴とする車載用音響装置。
【請求項７】
請求項２に記載の車載用音響装置において、
前記制御手段は、前記形態の変更として、前記合成加速度の大きさが、当該合成加速度の向きに対応する前記しきい値を上回った場合、前記音声データに基く音出力の音量を大きくする変更或いは前記音データに基く音出力の音量を小さくする変更のうち、少なくともいずれか一方を行うことを特徴とする車載用音響装置。
【請求項８】
請求項１に記載の車載用音響装置において、
ユーザに音声にて音声コマンドの入力を促し、ユーザの入力した音声コマンドを認識して、当該音声コマンドに対応した処理を実行する音声処理手段を備え、
前記制御手段は、更に、前記第１方向の加速度及び前記第２方向の加速度に応じて、ユーザからの音声コマンドの入力を受け付ける音声入力受付時間を変更することを特徴とする車載用音響装置。
【請求項９】
請求項８に記載の車載用音響装置において、
前記第１方向の加速度と前記第２方向の加速度との合成加速度の向きに対応付けて、前記合成加速度の大きさに対する１又は複数のしきい値が予め設定され、
前記制御手段は、前記合成加速度に応じて、前記しきい値で区分けされた加速度範囲毎に、前記音声入力受付時間を変更することを特徴とする車載用音響装置。
【請求項１０】
車両運転の情報に関する音声データ、及びこの音声データ以外の音データに基いて音出力を可能とする車載用音響装置の制御方法において、
車両の進行方向を含む水平面内の第１方向の加速度、及び前記水平面内であって、前記第１方向の加速度に直交する第２方向の加速度を検出する加速度検出過程と、
前記加速度検出過程により検出された前記第１方向の加速度及び前記第２方向の加速度に応じて、前記音声データ及び前記音データに基く音出力の形態を変更する制御過程とを備えたことを特徴とする車載用音響装置の制御方法。
【請求項１１】
車両運転の情報に関する音声データ、及びこの音声データ以外の音データに基いて音出力を可能とする車載用音響装置を、コンピュータにより制御するための制御プログラムであって、
車両の進行方向を含む水平面内の第１方向の加速度、及び前記水平面内であって、前記第１方向の加速度に直交する第２方向の加速度を検出させ、
前記第１方向の加速度及び前記第２方向の加速度に応じて、前記音声データ及び前記音データに基く音出力の形態を変更させることを特徴とする車載用音響装置の制御プログラム。
【請求項１２】
請求項１１に記載の制御プログラムを記録したことを特徴とするコンピュータ読取可能な記録媒体。
【発明の詳細な説明】
【技術分野】
【０００１】
車載用音響装置、車載用音響装置の制御方法、車載用音響装置の制御プログラム、及び記録媒体に関する。
【背景技術】
【０００２】
従来より、音声や音楽等の音情報を提示するカーオーディオ機器が車両に搭載される他、カーナビゲーション装置や電子メールを受信する電子メール受信装置等の車載情報機器が車両に搭載されるようになってきている。そして近年、これらカーオーディオ機器と車載情報機器等を統合し、ユーザが車両運転に集中できるように、音声にて車両運転に関する運転情報（例えば、走行車両の現在位置情報、道路案内情報、道路混雑情報等）等を音声にて提示するとともに、各種操作をユーザの音声にて行うことができるように構成された車載用音響装置が知られている（例えば、特許文献１参照）。また、この種の車載用音響装置では、更に、運転情報以外の情報として、例えば、電子メール受信装置により受信した電子メールを音声にて提示するように構成されたものがある。
【特許文献１】特開平９−１６０８５３号公報
【発明の開示】
【発明が解決しようとする課題】
【０００３】
しかしながら、上述した車載用音響装置では、音出力される情報には、車両運転に関する運転情報の他に、カーオーディオ機器により提示される音楽や電子メール受信装置により提示される電子メール等の運転に関係のない情報も含まれており、これら情報は、運転者であるユーザが一定速度で前進する運転操作を行っている状態やユーザがカーブや交差点等を曲がる運転操作を行っている状態などのユーザの運転状態に関わらず提示されるものであった。従って、ユーザの運転状態によっては、運転情報を聞きたいときに、運転情報が運転情報以外の情報によって聞けないか、或いは聞き取りづらくなってしまう問題があった。また、ユーザは車両運転に集中する必要があるため、特に車両運転に集中しなければならないときに、音出力した運転情報をユーザが聞き逃してしまうという問題があった。
【０００４】
そこで、本発明の目的は、上述した従来の技術が有する課題を解消し、運転情報を効率的にユーザに提示することができる車載用音響装置、車載用音響装置の制御方法、車載用音響装置の制御プログラム、及び記録媒体を提供することにある。
【課題を解決するための手段】
【０００５】
上記課題を解決するため、車両運転の情報に関する音声データ、及びこの音声データ以外の音データに基いて音出力を可能とする車載用音響装置において、車両の進行方向を含む水平面内の第１方向の加速度、及び前記水平面内であって、前記第１方向の加速度に直交する第２方向の加速度を検出する加速度検出手段と、前記加速度検出手段により検出された前記第１方向の加速度及び前記第２方向の加速度に応じて、前記音声データ及び前記音データに基く音出力の形態を変更する制御手段とを備えたことを特徴とするものである。
【０００６】
上記車載用音響装置において、前記第１方向の加速度と前記第２方向の加速度との合成加速度の向きに対応付けて、前記合成加速度の大きさに対する１又は複数のしきい値が予め設定され、前記制御手段は、前記合成加速度に応じて、前記しきい値で区分けされた加速度範囲毎に、前記音声データ及び前記音データに基く音出力の形態を変更してもよい。
【０００７】
また、上記車載用音響装置において、前記制御手段は、前記形態の変更として、前記音データに基く音出力を許可し、或いは、禁止するようにしてもよい。
【０００８】
更に、上記車載用音響装置において、前記制御手段は、前記形態の変更として、音出力速度を変更してもよい。
【０００９】
更にまた、上記車載用音響装置において、前記制御手段は、前記形態の変更として、前記合成加速度の大きさが、当該合成加速度の向きに対応する前記しきい値を上回った場合、前記音声データに基く音出力の音出力速度を遅くなるように変更してもよい。
【００１０】
また、上記車載用音響装置において、前記制御手段は、前記形態の変更として、音出力の音量を変更してもよい。
【００１１】
更に、上記車載用音響装置において、前記制御手段は、前記形態の変更として、前記合成加速度の大きさが、当該合成加速度の向きに対応する前記しきい値を上回った場合、前記音声データに基く音出力の音量を大きくする変更或いは前記音データに基く音出力の音量を小さくする変更のうち、少なくともいずれか一方を行ってもよい。
【００１２】
更にまた、上記車載用音響装置において、ユーザに音声にて音声コマンドの入力を促し、ユーザの入力した音声コマンドを認識して、当該音声コマンドに対応した処理を実行する音声処理手段を備え、前記制御手段は、更に、前記第１方向の加速度及び前記第２方向の加速度に応じて、ユーザからの音声コマンドの入力を受け付ける音声入力受付時間を変更してもよい。
【００１３】
また、上記車載用音響装置において、前記第１方向の加速度と前記第２方向の加速度との合成加速度の向きに対応付けて、前記合成加速度の大きさに対する１又は複数のしきい値が予め設定され、前記制御手段は、前記合成加速度に応じて、前記しきい値で区分けされた加速度範囲毎に、前記音声入力受付時間を変更してもよい。
【００１４】
また、車両運転の情報に関する音声データ、及びこの音声データ以外の音データに基いて音出力を可能とする車載用音響装置の制御方法において、車両の進行方向を含む水平面内の第１方向の加速度、及び前記水平面内であって、前記第１方向の加速度に直交する第２方向の加速度を検出する加速度検出過程と、前記加速度検出過程により検出された前記第１方向の加速度及び前記第２方向の加速度に応じて、前記音声データ及び前記音データに基く音出力の形態を変更する制御過程とを備えたことを特徴とするものである。
【００１５】
また、車両運転の情報に関する音声データ、及びこの音声データ以外の音データに基いて音出力を可能とする車載用音響装置を、コンピュータにより制御するための制御プログラムであって、車両の進行方向を含む水平面内の第１方向の加速度、及び前記水平面内であって、前記第１方向の加速度に直交する第２方向の加速度を検出させ、前記第１方向の加速度及び前記第２方向の加速度に応じて、前記音声データ及び前記音データに基く音出力の形態を変更させることを特徴とするものである。
【００１６】
また、コンピュータ読取可能な記録媒体に上記制御プログラムを記録したことを特徴とするものである。
【発明の効果】
【００１７】
本発明によれば、車両の運転に関する運転情報を効率的にユーザに提示することができる。
【発明を実施するための最良の形態】
【００１８】
以下、本発明の一実施形態を添付の図面を参照して説明する。
【００１９】
図１は、本発明に係る記録装置の一実施形態が適用された車載用音響装置のブロック図である。
【００２０】
この車載用音響装置１００は、自動車などの車両に搭載され、走行車両の現在位置情報、道路案内情報、車両周辺の道路混雑情報等の車両運転に関する運転情報を、当該運転情報に関する音声データに基いて音出力するとともに、音楽や電子メール等の車両運転に関係のない情報を、当該情報に関する音データに基いて音出力するように構成されている。
【００２１】
この車載用音響装置１００は、通信装置１０と、音情報入力装置１２と、音声認識装置１４と、車載情報機器１６と、音声合成装置１８と、音楽情報提示装置２０と、音情報混合制御装置２２と、アンプ装置２４と、音情報出力装置２６と、制御装置２８とを備えている。
【００２２】
通信装置１０は、図示を省略したアンテナを介してＧＰＳ衛星から現在位置を導出するための電波を受信するとともに、車両周辺の道路混雑情報を受信し、また、電子メールや観光情報等の各種情報を受信して、車載情報機器１６にこれら情報を出力する。
【００２３】
音情報入力装置１２は、例えば、マイクロフォン等の集音装置であり、本実施形態では、運転者等のユーザが発した音声（つまり、音声コマンド）を収音し、音声信号に変換して音声認識装置１４に出力する。
【００２４】
音声認識装置１４は、制御装置２８の制御の下、入力した音声信号に基いて音声認識処理を実行し、その音声認識結果を車載情報機器１６に出力する。
【００２５】
車載情報機器１６は、通信装置１０によってＧＰＳ衛星から受信した電波に基いて走行車両の現在位置情報を算出している。更に、車載情報機器１６は、この現在位置情報に基いて、道路案内情報を生成している。また、車載情報機器１６は、音声認識装置１４より入力した音声認識結果に応じて、各種処理を実行し、音声合成可能な形式のデータ（例えば、テキストデータ）を音声合成装置１８に出力する。具体的には、車載情報機器１６は、音声認識装置１４より入力した音声認識結果に応じて（つまり、ユーザより入力した音声コマンドに応じて）、走行車両の現在位置情報、道路案内情報、道路混雑情報等の運転情報、若しくは電子メールや観光情報等の各種情報、又はユーザに音声コマンドの入力を促す情報をテキストデータに変換して音声合成装置１８に出力する。即ち、この車載情報機器１６は、カーナビゲーション装置として機能するとともに、電子メール受信装置等として機能するものである。車載情報機器１６は、これら運転情報等の各種情報を取得或いは生成する度に、対応するテキストデータを割り込み的に音声合成装置１８に出力するものである。
【００２６】
音声合成装置１８は、制御装置２８の制御の下、入力されたテキストデータに基いて、音声合成し、運転情報に関する音声データＡ、或いは、音声コマンドの入力を促す情報や電子メールや観光情報等の運転情報以外の各種情報に関する音データＢ（以下、第１の音データＢという。）等を電気信号として音情報混合制御装置２２に出力する。
【００２７】
音楽情報提示装置２０は、例えば、ＣＤプレイヤ、ＭＤプレイヤ等の音響再生装置であり、予めＣＤやＭＤ等の記録媒体に記録された音楽データＣ（以下、第２の音データＣという。）を読み出し、第２の音データＣを電気信号として音情報混合制御装置２２に出力する。
【００２８】
音情報混合制御装置２２は、制御装置２８の制御の下、音声データＡ又は第１の音データＢと、第２の音データＣとを混合、或いは、選択的にアンプ装置２４に出力する。
【００２９】
アンプ装置２４は、音情報混合制御装置２２より入力した電気信号を増幅して音情報出力装置２６に出力する。
【００３０】
音情報出力装置２６は、例えば、スピーカ等の放音装置であり、アンプ装置２４より入力した電気信号を入力して音出力する。
【００３１】
制御装置２８は、車載用音響装置１００の各種機器を制御するものであり、不図示のＣＰＵ、ＲＯＭ、ＲＡＭ等を備えている。ＣＰＵは、ＲＯＭに記憶された制御プログラムに基いて各種処理を実行する。ＲＯＭは、ＣＰＵが実行する制御プログラムなどを記憶している。ＲＡＭは、各種データを一時的に格納し、作業領域として用いられる。
【００３２】
ところで、本実施形態では、加速度検出手段としての２軸の加速度センサ装置３０が、車両に搭載され、制御装置２８に接続されている。この２軸の加速度センサ装置３０は、車両の進行方向（前進方向）を含む水平面内の第１方向の加速度、及びこの水平面内であって、第１方向の加速度に直交する第２方向の加速度を検出する。より好ましくは、図２に示すように、２軸の加速度センサ装置３０は、車両４０の進行方向（前進方向）Ｙに平行な第１方向の加速度αＹ、及び車両４０の進行方向Ｙを含む水平面内であって、進行方向Ｙに直交する方向（例えば、車両４０の右手方向）Ｘに平行な第２方向の加速度αＸを検出する。
【００３３】
本実施形態では、車両４０が進行方向Ｙに対して加速する場合、第１方向の加速度αＹが正の値で検出され、車両４０が進行方向Ｙに対して減速する場合、第１方向の加速度αＹが負の値で検出されるように２軸の加速度センサ装置３０が車両４０に配置されている。
【００３４】
また、例えば、車両４０が進行方向Ｙに対して一定速度でカーブを右に曲がる場合、車両４０は左手方向に働く遠心力とは逆方向の右手方向に向心力が働く。つまり、車両４０が右に曲がる場合は、車両４０の右手方向に加速度が生じ、車両４０が左に曲がる場合は、車両４０の左手方向に加速度が生じることとなる。本実施形態では、車両４０が右に曲がる場合、第２方向の加速度αＸが正の値で検出され、車両４０が左に曲がる場合、第２方向の加速度αＸが負の値で検出されるように２軸の加速度センサ装置３０が車両４０に配置されている。つまり、車両４０の右手方向に加速する場合、第２方向の加速度αＸが正の値で検出され、車両４０の左手方向に加速する場合、第２方向の加速度αＸが負の値で検出されるように２軸の加速度センサ装置３０が車両４０に配置されている。尚、車両４０が右に曲がる場合、第２方向の加速度αＸが負の値で検出され、車両４０が左に曲がる場合、第２方向の加速度αＸが正の値で検出されるように２軸の加速度センサ装置３０が車両４０に配置されている場合であってもよい。
【００３５】
図１において、制御装置２８は、検出した第１方向の加速度αＹ、及び第２方向の加速度αＸに応じて、車両運転の情報に関する音声データＡ、及びこの音声データＡ以外の第１の音データＢや第２の音データＣ等の音データに基く音出力の形態を変更するように、車載情報機器１６、音声合成装置１８、音情報混合制御装置２２を制御する。
【００３６】
具体的には、音出力の形態の変更制御として、制御装置２８は、車載情報機器１６及び音情報混合制御装置２２を制御して、音データに基く音出力を許可し、或いは、禁止する第１の制御モードと、音声合成装置１８を制御して、車両運転の情報に関する音声データＡに基く音出力の音出力速度（つまり、読上げ速度）を変更する第２の制御モードと、音情報混合制御装置２２を制御して、車両運転の情報に関する音声データＡ及び音楽データとしての第２の音データＣに基く音出力の音量を変更する第３の制御モードとを有し、第１〜第３の制御モードの内、いずれかの制御モードに設定する。これら制御モードは、不図示のリモートコントローラ等を介して押しボタンスイッチ等により設定される場合であってもよいし、音声認識装置１４にて認識された音声コマンドにより設定される場合であってもよい。
【００３７】
更に、制御装置２８は、検出した第１方向の加速度αＹ及び第２方向の加速度αＸに応じて、ユーザからの音声コマンドの入力を受け付ける音声入力受付時間を変更するように、音声認識装置１４を制御する。
【００３８】
図３は、制御装置２８の制御動作を示すフローチャートである。
【００３９】
図３において、制御装置２８は、第１〜第３の制御モードの内、いずれかの制御モードに設定する（ステップＳ１）。この制御モードの設定動作は、車載用音響装置１００の電源投入時及びユーザにより設定変更操作された場合に行う。尚、車載用音響装置１００の電源投入時には、予め定められた制御モードに設定してもよいし、前回設定された制御モードに設定してもよい。
【００４０】
次に、制御装置２８は、音声認識装置１４、車載情報機器１６、音声合成装置１８及び音情報混合制御装置２２へ設定した制御モードを提示する（ステップＳ２）。つまり、制御モードを設定したことを示す信号を音声認識装置１４、車載情報機器１６、音声合成装置１８及び音情報混合制御装置２２へ出力する。このステップＳ２の動作は、ステップＳ１において制御モードを設定した場合に行うものである。
【００４１】
制御装置２８は、２軸の加速度センサ装置３０により検出された第１方向の加速度αＹ及び第２方向の加速度αＸを取得する（ステップＳ３）。
【００４２】
ここで、制御装置２８は、図４に示すように、第１方向の加速度αＹと第２方向の加速度αＸとにより規定された２次元のαＸ−αＹ座標系に、複数のしきい値として第１のしきい値Ｔ１及び第２のしきい値Ｔ２を閉曲線状に予め設定している。つまり、第１方向の加速度αＹと第２方向の加速度αＸとの合成加速度（以下、車両の加速度という。）をαとすると、制御装置２８は、車両の加速度αの向きに対応付けて、車両の加速度αの大きさに対する複数のしきい値として第１のしきい値Ｔ１、及びこの第１のしきい値Ｔ１以上の値を持つ第２のしきい値Ｔ２を予め設定している。これら複数のしきい値Ｔ１、Ｔ２によって区分けされることにより加速度範囲Ｒ１、Ｒ２、Ｒ３が形成されることとなる。ここで、車両の加速度αの向きによっては、第１のしきい値Ｔ１と第２のしきい値Ｔ２とが同一値となる場合があってもよい。これらしきい値Ｔ１、Ｔ２は、例えば、制御装置２８のＲＯＭ（記憶手段）に予め記憶されている。
【００４３】
制御装置２８は、図３に示すように、車両の加速度αと、各しきい値Ｔ１、Ｔ２とを比較し（ステップＳ４）、車両の加速度αが加速度範囲Ｒ１、Ｒ２、Ｒ３のうちいずれの加速度範囲に属するかを判断する（ステップＳ５）。つまり、制御装置２８は、検出された第１方向の加速度αＹ及び第２方向の加速度αＸに基いて、車両の加速度αが加速度範囲Ｒ１、Ｒ２、Ｒ３のうちいずれの加速度範囲に属するかを判断する。
【００４４】
ここで、車両の加速度αが加速度範囲Ｒ１に属する場合は、車両が停止状態、車両が進行方向に対して加速して走行している状態、又は進行方向Ｙに対して一定の速度で走行、若しくは緩やかなカーブを一定速度で走行している状態のような、運転者であるユーザが運転情報以外の他の情報を取得できる程度に車両運転に余裕があり、通常の集中力で車両運転できる運転状態を示している。
【００４５】
また、車両の加速度αが加速度範囲Ｒ２に属する場合は、車両が減速して走行しているような状態、又は車両が交差点を含む急なカーブを走行している状態のような、通常の集中力よりも高い集中力で車両を運転する必要のある運転状態を示している。
【００４６】
また、車両の加速度αが加速度範囲Ｒ３に属する場合は、急激に減速しているような状態、運転者が急激に車両のハンドルを切っている状態のような、交通事故を回避するために車両運転に特に集中する必要のある運転状態を示している。
【００４７】
次に、制御装置２８は、車両の加速度αが加速度範囲Ｒ１、Ｒ２、Ｒ３のうちいずれの加速度範囲に属するかを音声認識装置１４、音声合成装置１８、車載情報機器１６及び音情報混合制御装置２２の各機器に提示する（ステップＳ６）。つまり、車両の加速度αが加速度範囲Ｒ１、Ｒ２、Ｒ３のうちいずれの加速度範囲に属するかを示す制御信号Ｄを、音声認識装置１４、音声合成装置１８、車載情報機器１６及び音情報混合制御装置２２の各機器に出力する。
【００４８】
図５は、車両の交差点右折時を示す説明図である。図５（ａ）において、車両状態Ｍ１は、交差点を右折するために、車両が緩やかに減速しつつ、徐々に右側に移動している状態を示している。また、車両状態Ｍ２は、車両が交差点を右折し、且つ、車両が一定の速度で前進走行している状態を示している。車両状態Ｍ３は、交差点を通過し、一定速度で直進している状態を示している。
【００４９】
図５（ｂ）を参照すると、車両状態Ｍ１において、車両は、進行方向Ｙに対して緩やかに減速しつつ、車両の右手方向である方向Ｘに僅かに加速していることとなる。このとき、例えば、車両の加速度αが第１のしきい値Ｔ１よりも小さい値であるとものすると、制御装置２８は、車両の加速度αが加速度範囲Ｒ１に属すると判断する。つまり、交差点やカーブ等を曲がるために単に車両を減速させるような場合は、通常の集中力で車両運転できる運転状態であるので、第１のしきい値Ｔ１により車両の加速度αが加速度範囲Ｒ１に属するように設定されている。
【００５０】
また、車両状態Ｍ２において、車両は、車両の進行方向Ｙに対して一定速度で走行しつつ、車両の右手方向である方向Ｘに加速していることとなる。このとき、例えば、車両の加速度αが第１のしきい値Ｔ１以上であり、且つ、第２のしきい値Ｔ２よりも小さい値であるとものすると、制御装置２８は、車両の加速度αが加速度範囲Ｒ２に属すると判断する。つまり、交差点やカーブ等を曲がる場合は、通常の集中力よりも高い集中力で車両を運転する必要のある運転状態であるので、第１のしきい値Ｔ１により車両の加速度αが加速度範囲Ｒ２に属するように設定されている。
【００５１】
また、車両状態Ｍ３において、車両の加速度αは、車両が一定の速度で前進しているので、略零である。このとき、制御装置２８は、車両の加速度αが加速度範囲Ｒ１に属すると判断する。この場合も、単に車両を直進させているだけなので、第１のしきい値Ｔ１により車両の加速度αが加速度範囲Ｒ１に属するように設定されている。
【００５２】
ここで、急ブレーキや急にハンドルを切るような操作をした場合のみ、第２のしきい値Ｔ２により車両の加速度αが加速度範囲Ｒ３に属するように設定されている。
【００５３】
本実施形態では、制御装置２８は、車両の加速度αに応じて、しきい値Ｔ１、Ｔ２で区分けされた加速度範囲Ｒ１、Ｒ２、Ｒ３毎に、音声データＡや音データとしての第１の音データＢ、第２の音データＣに基く音出力の形態を変更するものである。
【００５４】
以下、第１の制御モード、第２の制御モード、及び第３の制御モードのそれぞれの制御モードに設定された場合の各機器における音出力の形態を変更動作について説明する。
【００５５】
まず、第１の制御モードに設定された場合における車載情報機器１６及び音情報混合制御装置２２の制御動作について、図６に示すフローチャートを参照しながら説明する。
【００５６】
車載情報機器１６及び音情報混合制御装置２２は、車両の加速度αが、加速度範囲Ｒ１、Ｒ２、Ｒ３の内、いずれの加速度範囲であるかを示す制御信号Ｄを制御装置２８から取得する（ステップＳ１１）。次に、車載情報機器１６及び音情報混合制御装置２２は、車両の加速度αが、加速度範囲Ｒ１、Ｒ２、Ｒ３の内、いずれの加速度範囲に属するかに応じて、音データである第１に基く音出力を許可或いは禁止する（ステップＳ１２）。
【００５７】
ここで、音データに基く音出力を許可することは、車載情報機器１６においては、電子メールや観光情報等の運転情報以外の各種情報又はユーザに音声コマンドの入力を促す情報に関するテキストデータを音声合成装置１８に出力することを許可することであり、第１の音データＢに対応するテキストデータが音声合成装置１８に出力可能となる。音情報混合制御装置２２においては、第２の音データＣに基く音出力を許可することである。
【００５８】
また、音データに基く音出力を禁止することは、車載情報機器１６においては、電子メールや観光情報等の運転情報以外の各種情報又はユーザに音声コマンドの入力を促す情報に関するテキストデータを音声合成装置１８に出力するのを禁止することであり、この車載情報機器１６からは、運転情報に関するテキストデータ（つまり、音声データＡに対応するテキストデータ）のみ出力可能となる。音情報混合制御装置２２においては、第２の音データＣに基く音出力を禁止することである。
【００５９】
本実施形態では、音声データＡ以外の音データとして、第１の音データＢ及び第２の音データＣの２つの音データに分類し、それぞれの音データＢ、Ｃに基く音出力を許可或いは禁止するものである。尚、音声データＡは、運転情報であり、車両を運転するユーザにとって重要な情報であるので、車両の加速度αに関わらず音出力を許可するものである。
【００６０】
具体的な車載情報機器１６及び音情報混合制御装置２２の制御動作について、図７に示す制御動作説明図を参照して説明すると、車載情報機器１６及び音情報混合制御装置２２は、車両の加速度αの大きさが当該加速度αの方向に対応する第１のしきい値Ｔ１を上回らなかった場合、つまり、車両の加速度αが加速度範囲Ｒ１に属する場合、第１の音データＢ及び第２の音データＣに基く音出力を許可するように設定するものである。これによって、車両の加速度αが加速度範囲Ｒ１に属する場合は、運転情報及び運転情報以外の情報の音声出力と、音楽の音出力とが許可されることとなる。
【００６１】
また、車両の加速度αの大きさが当該加速度αの方向に対応する第１のしきい値Ｔ１を上回り、且つ、第２のしきい値Ｔ２を上回らなかった場合、つまり、車両の加速度αが加速度範囲Ｒ２に属する場合、車載情報機器１６は、第１の音データＢに基く音出力を禁止するように設定するとともに、音情報混合制御装置２２は、第２の音データＣに基く音出力を許可するように設定するものである。これによって、車両の加速度αが加速度範囲Ｒ２に属する場合は、運転情報の音声出力及び音楽の音出力が許可され、運転情報以外の情報の音声出力は禁止されることとなる。従って、ユーザにとって運転情報を聞きたいような状況である交差点やカーブ等で、運転情報以外の音声の出力を禁止するので、運転情報を効率的にユーザに提示することができる。これによって、ユーザは、運転情報を必要とするときに、運転情報が運転情報以外の音声の割り込みによって聞けないということはない。
【００６２】
また、車両の加速度αの大きさが当該加速度αの方向に対応する第２のしきい値Ｔ２を上回った場合、つまり、車両の加速度αが加速度範囲Ｒ３に属する場合、車載情報機器１６及び音情報混合制御装置２２は、第１の音データＢ及び第２の音データＣに基く音出力を禁止するように設定するものである。これによって、車両の加速度αが加速度範囲Ｒ３に属する場合は、運転情報の音声出力が許可され、運転情報以外の情報の音声出力及び音楽の音出力は禁止されることとなる。従って、急ブレーキや急にハンドルを切るといった操作をユーザが行った場合のような、特に運転に集中する必要のある状況下において、運転情報以外の音声データである第１の音データＢ、及び音楽データとしての第２の音データＣに基く音出力を禁止するので、運転情報を効率的にユーザに提示することができるとともに、ユーザの車両運転に対する集中を妨げることはない。
【００６３】
尚、第１の音データＢに基く音出力が禁止されている場合、車載情報機器１６の不図示のＲＡＭ（記憶手段）に第１の音データＢに対応するテキストデータが記憶される。次いで、第１の音データＢに基く音出力が許可された場合、記憶された第１の音データＢに対応するテキストデータが音声合成装置１８に出力され、音声合成装置１８により音声合成されて、第２の音データＢに基く音声出力が行われる。これによって、車両の加速度αが加速度範囲Ｒ３又はＲ２から加速度範囲Ｒ１に属するように変化する場合のようなユーザにとって車両運転に余裕のある状況のときに、一時的に車載情報機器１６に保留していた電子メールや観光情報等の車両運転に関係のない情報をユーザに聞かせることができるので、運転情報以外の情報も、より効果的に提示することができる。
【００６４】
次に、第２の制御モードに設定された場合における音声合成装置１８の制御動作について、図８に示すフローチャートを参照しながら説明する。
【００６５】
音声合成装置１８は、車両の加速度αが、加速度範囲Ｒ１、Ｒ２、Ｒ３の内、いずれの加速度範囲であるかを示す制御信号Ｄを制御装置２８から取得する（ステップＳ２１）。次に、音声合成装置１８は、車両の加速度αが、加速度範囲Ｒ１、Ｒ２、Ｒ３の内、いずれの加速度範囲に属するかに応じて、運転情報に関する音声データＡに基く音出力速度（つまり、読上げ速度）を変更する（ステップＳ２２）。
【００６６】
具体的な音声合成装置１８の制御動作について、図９に示す制御動作説明図を参照して説明する。音声合成装置１８は、車両の加速度αの大きさが当該加速度αの方向に対応する第１のしきい値Ｔ１を上回らなかった場合、つまり、車両の加速度αが加速度範囲Ｒ１に属する場合、音声データＡに基く音出力の音出力速度を予め設定された標準読上げ時間となるように、音声データＡに対応するテキストデータ、即ち、運転情報に関するテキストデータを音声合成する際の音声合成タイミング間隔を設定する。これによって、運転情報は、既設定の音出力速度で音出力されることとなる。
【００６７】
また、音声合成装置１８は、車両の加速度αの大きさが当該加速度αの方向に対応する第１のしきい値Ｔ１を上回り、且つ、第２のしきい値Ｔ２を上回らなかった場合、つまり、車両の加速度αが加速度範囲Ｒ２に属する場合、音声データＡに基く音出力の音出力速度を予め設定された標準読上げ時間よりも長くなるように、音声データＡに対応するテキストデータ、即ち、運転情報に関するテキストデータを音声合成する際の音声合成タイミング間隔を広げるように設定する。これによって、車両の加速度αがしきい値Ｔ１を上回った場合、音声データＡに基く音出力の音出力速度が遅くなるように変更されることとなる。従って、車載用音響装置１００は、車両が交差点やカーブを曲がっているときのような、ユーザが車両運転に関する運転情報を取得したいが車両運転にも集中する必要があるような場合に、運転情報をゆっくりと音出力するようにしたので、車載用音響装置１００は、運転情報を効率的にユーザに提示することができる。これによって、ユーザは、運転情報を聞き逃すようなことが少なくなる。
【００６８】
また、音声合成装置１８は、車両の加速度αの大きさが当該加速度αの方向に対応する第２のしきい値Ｔ２を上回った場合、つまり、車両の加速度αが加速度範囲Ｒ３に属する場合、運転情報に関するテキストデータの音声合成した結果である音声データＡの出力を停止する。この場合、音声合成装置１８は、この音声合成した結果である音声データＡを記憶しているものである。そして、音声合成装置１８は、車両の加速度αが加速度範囲Ｒ１或いはＲ２に属することとなった場合、記憶した音声データＡを出力する。
【００６９】
これによって、車両の加速度αが加速度範囲Ｒ３に属する場合、新規の運転情報の提示が保留され、車両の加速度αが加速度範囲Ｒ１或いはＲ２に移行した後、運転情報が提示されることとなる。従って、車両の加速度αが加速度範囲Ｒ３から加速度範囲Ｒ１又はＲ２に属するように変化する場合のようなユーザにとって車両運転に余裕のある状況のときに、一時的に保留していた車両運転に関する運転情報をユーザに聞かせることができるので、より効果的に運転情報をユーザに提示することができる。
【００７０】
次に、第３の制御モードに設定された場合における音情報混合制御装置２２の制御動作について、図１０に示すフローチャートを参照しながら説明する。
【００７１】
音情報混合制御装置２２は、車両の加速度αが、加速度範囲Ｒ１、Ｒ２、Ｒ３の内、いずれの加速度範囲であるかを示す制御信号Ｄを制御装置２８から取得する（ステップＳ３１）。次に、音情報混合制御装置２２は、車両の加速度αが、加速度範囲Ｒ１、Ｒ２、Ｒ３の内、いずれの加速度範囲に属するかに応じて、運転情報に関する音声データＡ及び第２の音データＣに基く音出力の音量を変更する（ステップＳ３２）。
【００７２】
具体的な音情報混合制御装置２２の制御動作について、図１１に示す制御動作説明図を参照して説明する。音情報混合制御装置２２は、車両の加速度αの大きさが当該加速度αの方向に対応する第１のしきい値Ｔ１を上回らなかった場合、つまり、車両の加速度αが加速度範囲Ｒ１に属する場合、音声データＡに基く音出力の音量を予めユーザにより設定された音量となるように、音声データＡ及び第２の音データＣに基づいて音出力する。つまり、運転者であるユーザが予め設定した初期状態の音量で音出力されることとなる。
【００７３】
また、音情報混合制御装置２２は、車両の加速度αの大きさが当該加速度αの方向に対応する第１のしきい値Ｔ１を上回り、且つ、第２のしきい値Ｔ２を上回らなかった場合、つまり、車両の加速度αが加速度範囲Ｒ２に属する場合、音声データＡに基く音出力の音量が予め設定された音量よりも大きくなるように、且つ、音データＣに基く音出力の音量が予め設定された音量よりも小さくなるように変更する。これによって、車両の加速度αが加速度範囲Ｒ２に属する場合、運転情報に関する音声出力の音量が上げられ、音楽情報の音量が下げられることとなる。従って、ユーザにとって運転情報を聞きたいような状況である交差点やカーブ等で、運転情報に対応する音声の音量を上げるとともに、音楽の音量を下げるので、運転情報を効率的にユーザに提示することができる。これによって、ユーザは、運転情報を必要とするときに、運転情報が音楽で聞きづらくなるということはない。
【００７４】
また、音情報混合制御装置２２は、車両の加速度αの大きさが当該加速度αの方向に対応する第２のしきい値Ｔ２を上回った場合、つまり、車両の加速度αが加速度範囲Ｒ３に属する場合、音声データＡに基く音出力の音量が、加速度範囲Ｒ２に属する場合に設定される音量よりも大きくなるように、且つ、音データＣに基く音出力が停止する（つまり、音量が零となる）ように変更する。これによって、車両の加速度αが加速度範囲Ｒ３に属する場合、運転情報に関する音声出力の音量が更に上げられ、音楽情報の音響出力が停止されることとなる。従って、急ブレーキや急にハンドルを切るといった操作をユーザが行った場合のような、特に運転に集中する必要のある状況下において、音楽の音出力を停止するので、運転情報を効率的にユーザに提示することができるとともに、ユーザの車両運転に対する集中を妨げることはない。
【００７５】
次に、第１、第２又は第３の制御モードに設定されている場合、車載情報機器１６は、ユーザに音声にて音声コマンドの入力を促すべく、音声コマンドの入力を促すためのテキストデータを、音声合成装置１８に出力し、この音声合成装置１８にて音声合成された第１の音データＢが、音情報混合制御装置２２、アンプ装置２４及び音情報出力装置２６を経て、第１の音データＢに基く音出力が行われる。例えば、車両の目的地の音声入力や受信した電子メールを読上げるか否かの音声入力等を促すものである。
【００７６】
そして、ユーザが音声コマンドを発声して音情報入力装置１２に音声入力された場合、通常は、音声認識装置１４が、ユーザの入力した音声コマンドを認識して、この認識結果を車載情報機器１６に出力し、車載情報機器１６は、この音声コマンドに対応した処理を実行するものである。
【００７７】
以下、第１、第２又は第３の制御モードに設定された場合における音声認識装置１４の制御動作について、図１２に示すフローチャートを参照しながら説明する。
【００７８】
本実施形態では、音声認識装置１４は、車両の加速度αが、加速度範囲Ｒ１、Ｒ２、Ｒ３の内、いずれの加速度範囲であるかを示す制御信号Ｄを制御装置２８から取得する（ステップＳ４１）。次に、音声認識装置１４は、車両の加速度αが、加速度範囲Ｒ１、Ｒ２、Ｒ３の内、いずれの加速度範囲に属するかに応じて、ユーザからの音声コマンドの入力を受け付ける音声入力受付時間を変更する（ステップＳ４２）。
【００７９】
具体的な音声認識装置１４の制御動作について、図１３に示す制御動作説明図を参照して説明する。音声認識装置１４は、車両の加速度αの大きさが当該加速度αの方向に対応する第１のしきい値Ｔ１を上回らなかった場合、つまり、車両の加速度αが加速度範囲Ｒ１に属する場合、音声入力受付時間が予め定められた基準時間に設定される。これによって、音声認識装置１４において既設定の音声入力受付時間で音声入力が受け付けられることとなる。
【００８０】
また、音声認識装置１４は、車両の加速度αの大きさが当該加速度αの方向に対応する第１のしきい値Ｔ１を上回り、且つ、第２のしきい値Ｔ２を上回らなかった場合、つまり、車両の加速度αが加速度範囲Ｒ２に属する場合、予め設定された基準時間よりも長くなるように音声入力受付時間を変更する。これによって、車両の加速度αが加速度範囲Ｒ２に属する場合、音声入力受付時間が長くなるように変更されることとなる。
【００８１】
つまり、車両の加速度αが加速度範囲Ｒ１に属するような場合は、音声認識時間を長くすると誤操作を招く可能性があり、できるだけ短く設定するのが好ましいが、車両の加速度αが加速度範囲Ｒ２に属するような場合は、車両が交差点やカーブ等を曲がっている状態であるので、ユーザは車両運転に集中しており、音声コマンドを入力する操作が遅れてしまうものである。従って、音声認識装置１４は、車両の加速度αが加速度範囲Ｒ２に属するような場合は、音声入力受付時間を長く設定することで、ユーザの音声操作が遅れてもユーザの発した音声コマンドを認識することができる。
【００８２】
また、音声認識装置１４は、車両の加速度αの大きさが当該加速度αの方向に対応する第２のしきい値Ｔ２を上回った場合、つまり、車両の加速度αが加速度範囲Ｒ３に属する場合、ユーザの入力した音声コマンドを認識する動作を停止するように変更する。これによって、車両の加速度αが加速度範囲Ｒ３に属する場合、音声認識装置１４において音声認識機能が停止されることとなる。つまり、車両の加速度αが加速度範囲Ｒ３に属する場合は、ユーザが急ブレーキや急なハンドル操作を行っている場合であり、ユーザが音声コマンドを発声できるような状況ではない。また、ユーザが音声コマンドを発声できたとしても、音声認識装置１４が認識できるようなものである可能性は低い。従って、車両の加速度αが加速度範囲Ｒ３に属する場合、音声認識装置１４において音声認識機能が停止されるので、誤操作により音声認識装置１４が動作する割合が低くなるものである。
【００８３】
以上、実施形態に基づいて本発明を説明したが、本発明は、これに限定されるものではない。
【００８４】
例えば、上記実施形態では、複数のしきい値として、第１のしきい値Ｔ１及び第２のしきい値Ｔ２の２個のしきい値を設定する場合について説明したが、これに限るものではなく、３個以上のｎ個のしきい値を設定する場合であってもよい。この場合、第ｍのしきい値（ｍは、３，…，ｎ−１の整数）と第（ｍ＋１）のしきい値との関係は、上述した実施形態の第１のしきい値Ｔ１と第２のしきい値Ｔ２との関係と同様であり、第ｍのしきい値は、第１のしきい値に対応し、第（ｍ＋１）のしきい値は、第２のしきい値に対応するものである。
【００８５】
そして、第１の制御モードに設定されている場合においては、車載情報機器１６及び音情報混合制御装置２２は、音データを、ｎ個の音データに分類し、複数のしきい値で区分される加速度範囲毎に第ｋの音データ（ｋは、１，…，ｎの整数）に基く音出力を許可し、或いは、禁止するようにしてもよい。
【００８６】
また、第２の制御モードに設定される場合においては、音声合成装置１８は、車両の加速度αが各しきい値を上回る毎に、運転情報に関する音声データに基く音出力速度を遅くなるように変更してもよい。
【００８７】
また、第３の制御モードに設定される場合においては、音情報混合制御装置２２は、車両の加速度αが各しきい値を上回る毎に、運転情報に関する音声データに基く音出力の音量を大きくする変更或いは音声データ以外の音データに基く音出力の音量を小さくする変更のうち、少なくともいずれか一方を行うようにしてもよい。
【００８８】
更に、第１、第２又は第３の制御モードに設定される場合においては、音声認識装置１４は、車両の加速度αが各しきい値を上回る毎に、音声入力受付時間を長くなるように変更するようにしてもよい。
【００８９】
また、上記実施形態では、複数のしきい値Ｔ１、Ｔ２が設定される場合について説明したが、１つのしきい値が設定される場合であってもよい。この場合の１つのしきい値は、上記実施形態における第１のしきい値Ｔ１に対応するものである。
【００９０】
また、上記実施形態では、音情報混合制御装置２２は、車両の加速度αの大きさが、当該車両の加速度αの向きに対応するしきい値を上回った場合、音声データに基く音出力の音量を大きくする変更、或いは音データに基く音出力の音量を小さくする変更のうち、両方の変更を行う場合について説明したが、音情報混合制御装置２２は、車両の加速度αの大きさが、当該車両の加速度αの向きに対応するしきい値を上回った場合、音声データに基く音出力の音量を大きする変更、又は音データに基く音出力の音量を小さくする変更を行う場合であってもよい。つまり、運転情報に関する音声データに基く音出力を、他の音データである音楽データに基く音出力よりもユーザが聞き取りやすくしているものである。
【００９１】
また、上記実施形態では、制御プログラムがあらかじめＲＯＭに格納されている場合であったが、ハードディスク、リムーバブル記録媒体、ＩＣカード等のコンピュータ読取可能な記録媒体にあらかじめ制御プログラムを格納しておいて読み込んだり、インターネットなどのネットワークを介してダウンロードして制御プログラムを実行するように構成することも可能である。
【図面の簡単な説明】
【００９２】
【図１】本発明に係る記録装置の一実施形態が適用された車載用音響装置のブロック図である。
【図２】車両の加速度の検出方向を示す説明図である。
【図３】制御装置の制御動作を示すフローチャートである。
【図４】車両の加速度に対するしきい値を示す説明図である。
【図５】車両の交差点右折時を示す説明図である。
【図６】車載情報機器及び音情報混合制御装置の制御動作を示すフローチャートである。
【図７】車載情報機器及び音情報混合制御装置の制御動作を示す制御動作説明図である。
【図８】音声合成装置の制御動作を示すフローチャートである。
【図９】音声合成装置の制御動作を示す制御動作説明図である。
【図１０】音情報混合制御装置を示すフローチャートである。
【図１１】音情報混合制御装置を示す制御動作説明図である。
【図１２】音声認識装置を示すフローチャートである。
【図１３】音声認識装置を示す制御動作説明図である。
【符号の説明】
【００９３】
１４  音声認識装置（制御手段、音声処理手段）
１６  車載情報機器（制御手段、音声処理手段）
１８  音声合成装置（制御手段、音声処理手段）
２０  音楽情報提示装置
２２  音情報混合制御装置（制御手段）
２８  制御装置（制御手段）
３０  ２軸の加速度センサ装置（加速度検出手段）
１００  車載用音響装置
Ａ  音声データ
Ｂ  第１の音データ（音データ）
Ｃ  第２の音データ（音データ）
αＸ  第２方向の加速度
αＹ  第１方向の加速度
【図１】
2005142936.tif 000003
【図２】
2005142936.tif 000004
【図３】
2005142936.tif 000005
【図４】
2005142936.tif 000006
【図５】
2005142936.tif 000007
【図６】
2005142936.tif 000008
【図７】
2005142936.tif 000009
【図８】
2005142936.tif 000010
【図９】
2005142936.tif 000011
【図１０】
2005142936.tif 000012
【図１１】
2005142936.tif 000013
【図１２】
2005142936.tif 000014
【図１３】
2005142936.tif 000015